(57)【要約】【課題】新規据付時または再組立時における工期、あるいは解体時における工期を短縮することができるレードルクレーンを提供すること。【解決手段】二本の主ガーダ１に沿って敷設された第１の横行レール１ａ上を走行する主トロリ２上に設置された主巻き装置１０の主巻きフックで吊り下げた溶鍋を、二本の補ガーダ１Ａに沿って敷設された第２の横行レール１ｂ上を走行する補トロリ３上に設置された補巻き装置１１の補巻きフックで巻き上げて傾転させ、前記溶鍋に収納された溶湯を注出させるレードルクレーン１００であって、前記補ガーダ１Ａの一端部同士および前記補ガーダ１Ａの他端部同士が、継梁１２を介してそれぞれ連結されているとともに、これら二本の補ガーダ１Ａと二本の継梁１２とが、一体構造物Ｂとして運搬可能に構成されている。【選択図】  図２
2008100836.tif 000002
【特許請求の範囲】
【請求項１】
二本の主ガーダに沿って敷設された第１の横行レール上を走行する主トロリ上に設置された主巻き装置の主巻きフックで吊り下げた溶鍋を、二本の補ガーダに沿って敷設された第２の横行レール上を走行する補トロリ上に設置された補巻き装置の補巻きフックにより傾転させ、前記溶鍋に収納された溶湯を注出させるレードルクレーンであって、
前記補ガーダの一端部同士および前記補ガーダの他端部同士が、継梁を介してそれぞれ連結されていることを特徴とするレードルクレーン。
【請求項２】
前記補ガーダ、前記継梁、前記補トロリ、および前記補巻きフックが、一体構造物として運搬可能に構成されていることを特徴とする請求項１に記載のレードルクレーン。
【請求項３】
前記第２の横行レールが、前記補ガーダの一方と他方とが対向する壁面にそれぞれ配置されていることを特徴とする請求項１に記載のレードルクレーン。
【請求項４】
二本の主ガーダに沿って敷設された第１の横行レール上を走行する主トロリ上に設置された主巻き装置の主巻きフックで吊り下げた溶鍋を、二本の補ガーダに沿って敷設された第２の横行レール上を走行する補トロリ上に設置された補巻き装置の補巻きフックにより傾転させ、前記溶鍋に収納された溶湯を注出させるレードルクレーンの組立方法であって、
前記レードルクレーンを組み立てる組立場所とは異なる別の場所で、前記補ガーダ、前記補トロリ、前記補巻きフック、および前記補ガーダの一端部同士および前記補ガーダの他端部同士を連結する継梁を一体構造物として組み立て、運搬手段により前記一体構造物を前記組立場所に搬入した後、据付手段により前記一体構造物を所定の場所に据え付けるようにしたことを特徴とするレードルクレーンの組立方法。
【発明の詳細な説明】
【技術分野】
【０００１】
本発明は、製鉄施設や製鋼施設等に設置されるレードルクレーンに関するものである。
【背景技術】
【０００２】
一般的なレードルクレーンとしては、例えば、特許文献１に開示されたものが知られている。
【特許文献１】特開平１１−２６８８８１号公報
【発明の開示】
【発明が解決しようとする課題】
【０００３】
しかしながら、上記特許文献１に開示されたレードルクレーンでは、その上を補トロリが走行する補ガーダの両端部が、エンドタイ（ブリッジ）の略中央部に直接連結（接続）されるように構成されている。そのため、新規据付時または再組立時においては、まず、エンドタイに補ガーダを取り付け、その後、補ガーダの上に補トロリを設置しなければならず、また、解体時においては、まず、補ガーダから補トロリを取り外し、その後、エンドタイから補ガーダを取り外さなければならず、新規据付時または再組立時における工期、あるいは解体時における工期が長期化してしまうといった問題点があった。
【０００４】
本発明は、上記の事情に鑑みてなされたもので、新規据付時または再組立時における工期、あるいは解体時における工期を短縮することができるレードルクレーンを提供することを目的とする。
【課題を解決するための手段】
【０００５】
本発明は、上記課題を解決するため、以下の手段を採用した。
本発明によるレードルクレーンは、二本の主ガーダに沿って敷設された第１の横行レール上を走行する主トロリ上に設置された主巻き装置の主巻きフックで吊り下げた溶鍋を、二本の補ガーダに沿って敷設された第２の横行レール上を走行する補トロリ上に設置された補巻き装置の補巻きフックにより傾転させ、前記溶鍋に収納された溶湯を注出させるレードルクレーンであって、前記補ガーダの一端部同士および前記補ガーダの他端部同士が、継梁を介してそれぞれ連結されている。
このようなレードルクレーンによれば、一方の補ガーダの一端部と一方の継梁の一端部とが連結され、他方の補ガーダの一端部と一方の継梁の他端部とが連結されるとともに、一方の補ガーダの他端部と他方の継梁の一端部とが連結され、他方の補ガーダの他端部と他方の継梁の他端部とが連結されているので、これら二本の補ガーダおよび二本の継梁を一体構造物とすることができ、これら二本の補ガーダおよび二本の継梁からなる一体構造物の剛性を向上させることができるとともに、これら二本の補ガーダおよび二本の継梁を一体構造物として運搬することができる。
これにより、新規据付時または再組立時における工期、あるいは解体時における工期を短縮することができる。
【０００６】
上記レードルクレーンにおいて、前記補ガーダ、前記継梁、前記補トロリ、および前記補巻きフックが、一体構造物として運搬可能に構成されているとさらに好適である。
このようなレードルクレーンによれば、前記補ガーダ、前記継梁、前記補トロリ、および前記補巻きフックを、一体構造物として運搬することができるので、新規据付時または再組立時における工期、あるいは解体時における工期をさらに短縮することができる。
【０００７】
上記レードルクレーンにおいて、前記第２の横行レールが、前記補ガーダの一方と他方とが対向する壁面にそれぞれ配置されているとさらに好適である。
このようなレードルクレーンによれば、第２の横行レールが、補ガーダの上面よりも下方に位置するように配置されているので、第２の横行レール上に補トロリを載置した時の高さ方向の寸法を低減させることができる。
これにより、補トロリを第２の横行レール上に載せたまま、すなわち、二本の補ガーダおよび二本の継梁からなる一体構造物の上に補トロリおよび補巻き装置（補巻きフックを含む）を載せたまま運搬することができて、新規据付時または再組立時における工期、あるいは解体時における工期をさらに短縮することができる。
【０００８】
本発明によるレードルクレーンの組立方法は、二本の主ガーダに沿って敷設された第１の横行レール上を走行する主トロリ上に設置された主巻き装置の主巻きフックで吊り下げた溶鍋を、二本の補ガーダに沿って敷設された第２の横行レール上を走行する補トロリ上に設置された補巻き装置の補巻きフックにより傾転させ、前記溶鍋に収納された溶湯を注出させるレードルクレーンの組立方法であって、前記レードルクレーンを組み立てる組立場所とは異なる別の場所で、前記補ガーダ、前記補トロリ、前記補巻きフック、および前記補ガーダの一端部同士および前記補ガーダの他端部同士を連結する継梁を一体構造物として組み立て、運搬手段により前記一体構造物を前記組立場所に搬入した後、据付手段により前記一体構造物を所定の場所に据え付けるようにした。
このようなレードルクレーンによれば、補ガーダ、継梁、補トロリ、および補巻きフックが、一体構造物として運搬され、据え付けられる（組み立てられる）こととなるので、新規据付時または再組立時における工期を短縮することができる。
【発明の効果】
【０００９】
本発明によれば、新規据付時または再組立時における工期、あるいは解体時における工期を短縮することができるという効果を奏する。
【発明を実施するための最良の形態】
【００１０】
以下、本発明に係るレードルクレーンの一実施形態について、図面を参照しながら説明する。
図１はレードルクレーン１００の概略構成図である。図１に示すように、レードルクレーン（鋳鍋クレーン）１００は、天井クレーンの一種であり、製鉄施設や製鋼施設に設置されて、図示しない平炉や電気炉等から溶鋼（溶湯）Ｆｅを溶鍋（鋳鍋）８に入れて運搬した後、溶鍋８を傾けて図示しないタンディッシュや転炉内に溶鋼８を注湯する作業などに用いられるものである。また、レードルクレーン１００は、溶鋼８という高熱物を取扱うため、主巻き装置１０で溶鍋８をつり上げるとともに、補巻き装置１１で溶鍋８の下部を持ち上げて溶鍋８を傾斜をさせ、溶鍋８から溶鋼Ｆｅを出すようになっている。
【００１１】
つぎに、図１を参照して上記動作を説明する。図１に示すように、図示しない建家の天上部に敷設された走行レーン９に沿って走行する主ガーダ１上に敷設された第１の横行レール１ａ上には、主巻き装置１０を備えた主トロリ２が、また、補ガーダ１Ａ（図２〜図４参照）上に敷設された第２の横行レール１ｂ上には、補巻き装置１１を備えた補トロリ３が設置されている。なお、つり上荷重の大きいクレーン等では、二つの巻上げ機構を持つ場合があり、前述の主巻きとは、重い荷を遅い速度で吊り上げるものをいい、前述の補巻きとは、軽い荷を速く吊り上げるものをいう。
【００１２】
主巻き装置１０は、主巻きフック５を溶鍋８の軸８ａに係合させてワイヤー４を介して溶鍋８を吊り下げる。補巻き装置１１は、ワイヤー６を介して吊り下げられた補巻きフック７Ａを、補トロリ３を移動させることで溶鍋８に近づけ、溶鍋８の側壁に設けられた傾転金物８ｂに引掛ける。その後、補巻き装置１１は、補巻きフック７Ａを引き上げることにより溶鍋８を軸８ａ回りに傾転させて（図中二点鎖線参照）、溶鍋８内に収納された溶鋼（Ｆｅ）をタンディッシュ等へ注湯するようにしている。
【００１３】
さて、図２は本実施形態によるレードルクレーン１００の要部を上方から見た平面図であり、図３は図２のＡ−Ａ矢視断面図である。また、図４は図３の要部拡大図である。
まず、図２に示すように、二本の補ガーダ１Ａの両端部はそれぞれ、継梁１２によって連結（接続）されている。すなわち、二本の補ガーダ１Ａと二本の継梁１２とは、一体構造とされている。言い換えれば、これら二本の補ガーダ１Ａおよび二本の継梁１２は、一体構造物として運搬できるように構成されている。また、二本の補ガーダ１Ａおよび二本の継梁１２からなる一体構造物（以下、「補ガーダブロック体」という。）Ｂは、二本の継梁１２の下面と二本のエンドタイ１３の略中央部に位置する上面とがそれぞれ接する（面接触する）ように、すなわち、補ガーダブロック体Ｂをエンドタイ１３上に載置できるように構成されている。
なお、二本の主ガーダ１の両端部はそれぞれ、固定手段（例えば、ボルトおよびナット）を介して二本のエンドタイ１３の両端部に連結（接続）されており、エンドタイ１３上に載置された補ガーダブロック体Ｂは、固定手段（例えば、ボルトおよびナット）を介してエンドタイ１３に連結（接続）されている。
【００１４】
つぎに、図３に示すように、補ガーダ１Ａはそれぞれ、その断面視形状が直角台形を呈するように構成されている。すなわち、各補ガーダ１Ａの内側に位置する側面（一方の補ガーダ１Ａと他方の補ガーダ１Ａとが対向する側面）１４（図４参照）が、下方に行くにしたがって徐々に近づくように傾斜している。また、図４に示すように、側面１４の下部にはそれぞれ、第２の横行レール１ｂを支持するための台座１５が設けられている。この台座１５は、その上面上にレール１ｂが敷設される水平板１６と、この水平板１６を支持するリブ１７とを備えている。なお、図４中の符号１８は、第２の横行レール１ｂ上を転動する補トロリ３の車輪である。
【００１５】
なお、レードルクレーン１００の新規据付時または再組立時において、補ガーダ１Ａ、補トロリ３、補巻きフック７Ａ、および継梁１２は、レードルクレーンを据え付ける据付場所（またはレードルクレーン１００を（再度）組み立てる組立場所）とは異なる別の場所（例えば、組立工場）で、補ガーダブロック体（一体構造物）Ｂとして組み立て、運搬手段（例えば、トレーラや船舶等）により補ガーダブロック体Ｂを据付場所（前述の建家内）に搬入した後、据付手段（例えば、クレーン）により補ガーダブロック体Ｂを据付場所の所定の場所に据え付けられるようになっている。
【００１６】
本実施形態に係るレードルクレーン１００によれば、一方の補ガーダ１Ａの一端部と一方の継梁１２の一端部とが連結され、他方の補ガーダ１Ａの一端部と一方の継梁１２の他端部とが連結されるとともに、一方の補ガーダ１Ａの他端部と他方の継梁１２の一端部とが連結され、他方の補ガーダ１Ａの他端部と他方の継梁１２の他端部とが連結されているので、これら二本の補ガーダ１Ａおよび二本の継梁１２を補ガーダブロック体Ｂとして運搬することができる。すなわち、二本の補ガーダ１Ａおよび二本の継梁１２を、補ガーダブロック体Ｂとして二本の主ガーダ１および二本のエンドタイ１３からなる一体構造物に取り付けることができる。また、二本の補ガーダ１Ａおよび二本の継梁１２を、補ガーダブロック体Ｂとして二本の主ガーダ１および二本のエンドタイ１３からなる一体構造物から取り外すことができる。
これにより、新規据付時または再組立時における工期、あるいは解体時における工期を短縮することができる。
【００１７】
また、第２の横行レール１ｂが、補ガーダ１Ａの上面よりも下方に位置するように、すなわち、補ガーダ１Ａの下部にくるように配置されているので、第２の横行レール１ｂ上に補トロリ３を載置した時の高さ方向の寸法を低減させることができる。なお、本実施形態に係るレードルクレーン１００では、従来、約５ｍであったものを約３．５ｍに低減させることができる。
これにより、補トロリ３を第２の横行レール１ｂ上に載せたまま、すなわち、二本の補ガーダ１Ａおよび二本の継梁１２からなる補ガーダブロック体Ｂの上に補トロリ３および補巻き装置１１（補巻きフック７Ａを含む）を載せたまま運搬することができて、新規据付時または再組立時における工期、あるいは解体時における工期をさらに短縮することができる。
【図面の簡単な説明】
【００１８】
【図１】本発明に係るレードルクレーンの一実施形態を示す概略構成図である。
【図２】本実施形態によるレードルクレーンの要部を上方から見た平面図である。
【図３】図２のＡ−Ａ矢視断面図である。
【図４】図３の要部拡大図であって、（ａ）は図３において左側に位置する補ガーダの要部拡大図、（ｂ）は図３において右側に位置する補ガーダの要部拡大図である。
【符号の説明】
【００１９】
１    主ガーダ
１Ａ  補ガーダ
１ａ  第１の横行レール
１ｂ  第２の横行レール
２    主トロリ
３    補トロリ
５    主巻きフック
７Ａ  補巻きフック
８    溶鍋
１０    主巻き装置
１１    補巻き装置
１２    継梁
１４    壁面
１００    レードルクレーン
Ｂ    補ガーダブロック体（一体構造物）
Ｆｅ  溶湯
【図１】
2008100836.tif 000003
【図２】
2008100836.tif 000004
【図３】
2008100836.tif 000005
【図４】
2008100836.tif 000006